(57)【要約】【課題】  コネクタの部品点数を少なくして、組立てを容易とすること。【解決手段】  コネクタ１０は、略筒状のシェル２０と、コンタクト４０を保持してこのシェル２０の内部に保持されるハウジング３０と、シャッタ５０と、を備える。ハウジング３０は、シェル２０の第２開口２２０に略平行でこの第２開口２２０を塞ぐ基部３１０と、この基部３１０のほぼ中央から立設する保持部３２０と、を備える。シェル２０内には、この保持部３２０を囲む略楕円形の弾性部材であるばね６０が設けられる。ばね６０はシャッタ５０を第１開口２１０側に付勢する。このばね６０は、保持部３２０を囲む形状であってシャッタ５０の両端側と接する。このため、本発明に係るコネクタ１０には、従来のコネクタのように、シェル２０内にシャッタ５０の両端側と接する一対のばねを設ける必要がない。【選択図】        図１
2006048948.tif 000002
【特許請求の範囲】
【請求項１】
第１開口および第２開口を有する略筒状のシェルと、このシェルの内部に保持されるハウジングと、このハウジングに保持される複数のコンタクトと、を備え、前記シェルの第１開口から挿入される相手方コネクタと電気的に接続されるコネクタであって、
前記ハウジングは、前記シェルの第２開口を塞ぐ略板状の基部と、この基部から前記シェルの第１開口側に延びて前記複数のコンタクトを並列に配置された状態で保持する略板状の保持部と、を有し、
前記ハウジングの保持部が貫通する孔を備え、前記シェルの第１開口を塞ぐ略板状のシャッタと、
前記シェル内に前記ハウジングの保持部を囲んで設けられ、前記シャッタを前記第２開口側から前記第１開口側へ付勢する略筒状の弾性部材と、をさらに備えるコネクタ。
【請求項２】
前記弾性部材は、略楕円形状のばねである請求項１に記載のコネクタ。
【請求項３】
前記シェルは、略矩形筒状であり、前記第１開口側の端縁の４隅に、前記第１開口の内側に突出する規制部がそれぞれ設けられている請求項１または２に記載のコネクタ。
【請求項４】
前記シェルの規制部は、前記第１開口の第１の辺縁の両端側に設けられる一対の第１折り曲げ片と、前記第１開口を挟んで前記第１の辺縁と対向する第２の辺縁の両端側に設けられる一対の第２折り曲げ片と、を含み、
前記第２折り曲げ片は、前記第１折り曲げ片より大きいことを特徴とする請求項３に記載のコネクタ。
【請求項５】
前記シェルは、前記第１開口側の端縁から外側に延びる案内部を備えることを特徴とする請求項１から４のいずれかに記載のコネクタ。
【請求項６】
前記ハウジングの基部は、前記弾性部材の基端側が係止される係止溝を有することを特徴とする請求項１から５のいずれかに記載のコネクタ。
【請求項７】
前記ハウジングの略板状の保持部は、対向する一対の面のそれぞれに複数のコンタクトを並列に配置して保持することを特徴とする請求項１から６のいずれかに記載のコネクタ。
【発明の詳細な説明】
【技術分野】
【０００１】
本発明は、開口から挿入される相手方コネクタと電気的に接続されるコネクタに関し、特に開口を塞ぐ移動可能なシャッタを備えるコネクタに関する。
【背景技術】
【０００２】
近年、デジタルカメラ、ビデオ、あるいは携帯電話機等の電子機器には、コンピュータとの間でデータの送受信ができるよう、ソケット（またはリセプタクル）と呼ばれるインタフェイス用のコネクタが設けられている。このソケットは開口を備え、ケーブル等の先端に取り付けられたプラグと呼ばれる相手方コネクタが、この開口からソケット内に挿入され、ソケットとプラグとが電気的に接続される。
【０００３】
こうしたソケットやプラグのように、相手方コネクタと嵌合されるコネクタにおいては、相手方コネクタが嵌合されていない状態では、コネクタに設けられたコンタクトに塵芥が付着して接触不良を生じる恐れがある。このため、相手方コネクタが挿入されていない場合に、コンタクトを覆う防塵用のシャッタを設けたコネクタが提案されている（例えば特許文献１）。
【０００４】
特許文献１に開示されたコネクタは、両端に開口を備える略矩形筒状のハウジングカバーと、前記ハウジングカバーの一端側の開口（第１開口）から一部が突出する略板状のハウジングベースと、を備え、前記ハウジングベースに複数の並列配置されたコンタクトが保持されている。これらのコンタクトは、前記ハウジングカバーの他端側の開口（第２開口）から第１開口側へ延び、ハウジングカバーから露出する部分はシャッタで覆われている。
【０００５】
前記コネクタのシャッタは、前記ハウジングベースに略平行な板状のスライド部と、このスライド部に略直交する略長方形板状の受部と、を備える。ハウジングカバーの内部には、第２開口側から第１開口側へ延びる一対のばねが設けられ、これらのばねは、前記シャッタの受部の両端側と接して、前記シャッタを第１開口側へ付勢する。これにより、前記ハウジングカバーの第１開口側から相手方コネクタが挿入される際には、前記シャッタが相手方コネクタに押されて第２開口側へ移動してコンタクトを露出させる。一方、相手方コネクタが抜去されると、前記シャッタはばねの弾性により第２開口側から第１開口側へ押され、ハウジングカバーから露出するコンタクトを覆う。
【０００６】
このように、特許文献１に開示されたコネクタは、ハウジングカバーから露出するコンタクトがシャッタに覆われることで防塵される。また、シャッタは、一対のばねにより第１開口側へ付勢されるため、相手方コネクタを挿抜する際には、嵌合面である第１開口は自動的に開閉される。
【特許文献１】特開２００４−９５５１４号公報
【発明の開示】
【発明が解決しようとする課題】
【０００７】
しかし、上記のコネクタではシャッタを付勢するので、略長方形板状の受部の両端側のそれぞれと接する一対のばねを使用するため、部品点数が多くなる。また、これらのばねは、ハウジングカバー内に収容するために小型化する必要がある。このため上記のコネクタは、組立性が悪い。さらに、ハウジングカバーから露出するコンタクトを覆うため、上記のコネクタのシャッタは、略直交する２つの板状部で構成され、構造が複雑である。
【０００８】
本発明は、上記課題に鑑み、部品点数を削減し、かつ構造が単純で組立て易いシャッタ付きのコネクタを提供することを目的とする。また本発明は、自動的に開閉するシャッタの過度の飛び出しを防止するとともに、相手方コネクタの誤嵌合が防止できるコネクタを提供することを目的とする。
【課題を解決するための手段】
【０００９】
本発明は、上記の課題を解決するため、以下の発明を提供する。
【００１０】
（１）  第１開口および第２開口を有する略筒状のシェルと、このシェルの内部に保持されるハウジングと、このハウジングに保持される複数のコンタクトと、を備え、前記シェルの第１開口から挿入される相手方コネクタと電気的に接続されるコネクタであって、前記ハウジングは、前記シェルの第２開口を塞ぐ略板状の基部と、この基部から前記シェルの第１開口側に延びて前記複数のコンタクトを並列に配置された状態で保持する略板状の保持部と、を有し、前記ハウジングの保持部が貫通する孔を備え、前記シェルの第１開口を塞ぐ略板状のシャッタと、前記シェル内に前記ハウジングの保持部を囲んで設けられ、前記シャッタを前記第２開口側から前記第１開口側へ付勢する略筒状の弾性部材と、をさらに備えるコネクタ。
【００１１】
本発明では、略板状のハウジングの基部のほぼ中央からこの基部に略直交する方向に延びる保持部にコンタクトを並列配置し、この保持部を取り囲む弾性部材をシェル内に設けてシェルの第１開口を塞ぐ略板状のシャッタを付勢するように構成する。これにより、１つの弾性部材で板状のシャッタのほぼ全面を支持して付勢できる。このため本発明によれば、コネクタの部品点数を減らしてコネクタの組立てを容易とし、コネクタの製造コストを低下させ、また、シャッタを安定して付勢できる。
【００１２】
本発明では、コンタクトはシェル内に保持されていることから、シェルの第１開口を閉じることにより、シェル内部への塵芥の侵入を防ぎ、コンタクトを防塵できる。このため、シャッタは第１開口を塞ぐ略平板状とすることができ、シャッタの形状を単純化できる。シャッタには、コンタクトを保持するハウジングの保持部が通る孔を形成することにより、シャッタの構造を複雑化させずに、シャッタが第１開口側と第２開口側との間でシェル内を往復できるように構成されている。
【００１３】
（２）  前記弾性部材は、略楕円形状のばねである（１）に記載のコネクタ。
【００１４】
略楕円形のばねは、複数のコンタクトを並列に配置して保持するハウジングの保持部を取り囲み、略長尺板状のシャッタの両端側と接触して、シャッタを均一に付勢できる。
【００１５】
（３）  前記シェルは、略矩形筒状であり、前記第１開口側の端縁の４隅に、前記第１開口の内側に突出する規制部がそれぞれ設けられている（１）または（２）に記載のコネクタ。
【００１６】
本発明によれば、シェルの一端縁の４隅のそれぞれに第１開口の内側に突出する規制部を設けることにより、これらの規制部でシャッタを受け止めることができる。このため、シャッタをシェルの第２開口側からシェル内に挿入して規制部に係止させることで、シャッタの過度の飛び出しを防止するとともに、コネクタの組立てを容易にできる。
【００１７】
（４）  前記シェルの規制部は、前記第１開口の第１の辺縁の両端側に設けられる一対の第１折り曲げ片と、前記第１開口を挟んで前記第１の辺縁と対向する第２の辺縁の両端側に設けられる一対の第２折り曲げ片と、を含み、前記第２折り曲げ片は、前記第１折り曲げ片より大きいことを特徴とする（３）に記載のコネクタ。
【００１８】
本発明によれば、第１開口を挟んで対向する第１折り曲げ片と第２折り曲げ片の大きさが違い、第１開口の開口面は、第１折り曲げ片が設けられた側（これを上側とする）と第２折り曲げ片が設けられた側（これを下側とする）とが非対称となる。このため、相手方コネクタを上下方向と本発明に係るコネクタの上下方向が一致しない場合、これらの折り曲げ片により相手方コネクタの挿入が妨げられ、コネクタ同士の誤嵌合を防止することができる。
【００１９】
（５）  前記シェルは、前記第１開口側の端縁から外側に延びる案内部を備えることを特徴とする（１）から（４）のいずれかに記載のコネクタ。
【００２０】
本発明によれば、第１開口の縁からシェルの外側に向かって開く案内部を設けることにより、相手方コネクタを案内部に沿わせて本発明に係るコネクタの第１開口に容易に案内できる。案内部は、第１開口の形状が略長方形状であれば、少なくとも互いに対向する一対の長辺のそれぞれに設けることが好ましい。案内部はまた、第１開口の周囲を取り囲むように設けてもよい。
【００２１】
（６）  前記ハウジングの基部は、前記弾性部材の基端側が係止される係止溝を有することを特徴とする（１）から（５）のいずれかに記載のコネクタ。
【００２２】
本発明によれば、基部に係止溝を設けることにより、弾性部材とハウジング保持部との間に所定の距離を設けた状態で弾性部材を配置できる。このため、弾性部材がコンタクトに接触することを防止して、コンタクトの短絡等を防止できる。
【００２３】
（７）  前記ハウジングの略板状の保持部は、対向する一対の面のそれぞれに複数のコンタクトを並列に配置して保持することを特徴とする（１）から（６）のいずれかに記載のコネクタ。
【００２４】
本発明に係るコネクタは、コンタクトを保持するハウジングの保持部が、シェルの壁面から離れている。このため、本発明では、保持部を構成する板状部材の両表面にコンタクトを配置して極数を多くすることができる。
【発明の効果】
【００２５】
本発明によれば、コネクタの部品点数を減らし、コネクタの組立てを容易とすることができる。また本発明によれば、コンタクトを防塵するシャッタを、より安定かつ確実に開閉させることができる。さらに、本発明によれば、自動的に開閉するシャッタを備えたコネクタを相手方コネクタとより容易に嵌合させることができる。
【発明を実施するための最良の形態】
【００２６】
次に、本発明の実施形態について図面を用いて説明する。以下、同一部材については同一符号を付し、説明を省略または簡略化する。
【００２７】
図１は、本発明の一実施形態に係るコネクタ１０の分解斜視図である。図２は、組立てた状態のコネクタ１０を示す斜視図である。図３（ａ）は、図２のコネクタ１０の正面図、図３（ｂ）は、その左側面図、図３（ｃ）は右側面図、図３（ｄ）は平面図、図３（ｅ）は底面図、図３（ｆ）は背面図、図３（ｇ）は図３（ａ）の線Ｘ−Ｘでの断面図である。  コネクタ１０は略矩形筒状のシェル２０と、ハウジング３０と、複数のコンタクト４０と、シャッタ５０と、弾性部材としての楕円形状のばね６０と、を備える。
【００２８】
図４は、シェル２０を示し、（ａ）は斜視図、（ｂ）は正面図、（ｃ）は背面図である。シェル２０は、略長方形板状の上壁２０１と、この上壁２０１に平行な略長方形板状の下壁２０２と、上壁２０１および下壁２０２の一端縁同士を接続する一対の互いに略平行な脇壁２０３と、から構成される略長方形筒状で、両端に第１開口２１０および第２開口２２０が形成されている。
【００２９】
上壁２０１には、一方の脇壁２０３側から他方の脇壁２０３側へ延びる方向に略平行な略長方形状の差込孔２１１が形成され、下壁２０２には、差込孔２１１と略直交する方向に延びる一対の略長方形状の差込溝２１２が形成されている。
【００３０】
シェル２０の第１開口２１０側端縁には、４箇所の規制部２３０と、それぞれ一対の第１案内部２４１および第２案内部２４２と、が設けられている。規制部２３０は、上壁２０１の第１開口２１０側辺縁から第１開口２１０の内側へ延びる一対の第１折り曲げ片２３１と、下壁２０２の第１開口２１０側辺縁から第１開口２１０の内側へ延びる一対の第２折り曲げ片２３２と、を含む。
【００３１】
第１案内部２４１は、一対の第１折り曲げ片２３１の間に設けられ、第１開口２１０からシェル２０の外側へ延びる上側第１案内部２４１ａと、一対の第２折り曲げ片２３２の間に設けられ、第１開口２１０から外側へ延びる下側第１案内部２４１ｂと、を含む。第２案内部２４２は、脇壁２０３を挟んで対向する第１折り曲げ片２３１と第２折り曲げ片２３２との間に設けられ、第１開口２１０から外側に延びている。
【００３２】
このシェル２０は、金属等を一体加工して形成された独立した部材で、強度保持のため、好ましくはステンレス等の金属で構成されるが、プラスチック等の樹脂で構成してもよい。シェル２０は、規制部２３０等を設けることを考慮して、板厚を０．３〜０．６ｍｍ程度とすることが好ましい。また、シェル２０を構成する一対の脇壁２０３には、補強用のタブ２４０を設けてもよい。タブ２４０は、コネクタ１０の姿勢を安定させ、基板（図示せず）とコネクタ１０との接合強度を向上させる。
【００３３】
次に、図５を参照してハウジング３０について説明する。図５は、コンタクト４０を保持していない状態のハウジング３０を示し、（ａ）は斜視図、（ｂ）は正面図、（ｃ）は平面図、（ｄ）は背面図、（ｅ）は（ｃ）の線Ａ−Ａでの断面図、（ｆ）は線Ｂ−Ｂでの断面図である。
【００３４】
ハウジング３０は、略厚板状の基部３１０と、この基部３１０の略中央から直立する略板状の保持部３２０と、基部３１０の両端側から外側に延伸する一対の翼部３３０と、を有する。基部３１０の片側表面には、保持部３２０の基端を囲む略楕円環状の係止溝３１１が形成されている。一対の翼部３３０同士を接続する基部３１０の一対の端縁の一方には突起３１３が設けられ、端縁の他方にはこの端縁と略直交する方向に延びる一対の脚３１２が設けられている。
【００３５】
保持部３２０には、両表面のそれぞれにコンタクト４０を保持するための溝３２１が形成されている。本実施態様では、溝３２１は保持部３２０の両表面に１６本ずつ形成されており、各表面に１６本ずつのコンタクト４０が保持される。保持部３２０は、本実施態様のように、両表面のそれぞれにコンタクト４０を保持してもよいが、片面のみにコンタクト４０を保持するものであってもよい。保持部３２０の溝３２１は基部３１０を貫通しており、溝３２１に保持されるコンタクト４０の一端縁は、基部３１０を貫通してハウジング３０の背面へ延出して、脚３１２側へ延びる。
【００３６】
コンタクト４０は、黄銅やリン青銅等の導電性材料で構成された板ばねであり、図３（ｇ）に示すように２箇所で略直角に折り曲げられている。コンタクト４０は、接触部４１０と、接続部４２０と、固定部４３０と、を有する。接触部４１０は、ハウジング３０の保持部３２０に沿って延び、接続部４２０は一端が接触部４１０の基端と接続され接触部４１０に略直交してハウジング３０の基部３１０に沿って延びる。固定部４３０は、接続部４２０の他端に接続され、接続部４２０に略直交して接触部４１０と略平行に延びる。
【００３７】
本実施態様においては、ハウジング３０の保持部３２０の表面のうち、脚３１２に近い側の表面（以下、下面）には接触部４１０が短い短ピン型のコンタクト４０が設けられ、下面に対向する側の表面（以下、上面）には接触部４１０が長い長ピン型のコンタクト４０が設けられている。上面の長ピン型のコンタクト４０には、さらに、接触部４１０が長いものと短いものとがある。
【００３８】
図６（ａ）はシャッタ５０の斜視図であり、図６（ｂ）はその正面図、図６（ｃ）はその背面図、（ｄ）は線Ｃ−Ｃでの断面図である。シャッタ５０は、図６に示すように、正面から背面に貫通する孔５１０を備える略長方形板状である。孔５１０は、コンタクト４０を保持した状態のハウジング３０の保持部３２０が通る大きさであれば形状は限定されない。
【００３９】
シャッタ５０の正面には、４隅が切り欠かれ、互いに対向する一対の長辺の一方の両端に一対の第１切り欠き部５３１が形成されている。長辺の他方の両端には、第１切り欠き部とは大きさが異なる一対の第２切り欠き部５３２が形成されている。第１切り欠き部５３１は、シェル２０の第１折り曲げ片２３１を嵌め込むことができる大きさで、第２切り欠き部５３２は、シェル２０の第２折り曲げ片２３２を嵌め込める大きさである。
【００４０】
シャッタ５０の背面には、略長方形状の孔５１０を取り囲む環状溝５１１が形成されている。環状溝５１１は、楕円筒状のばね６０の横断面とほぼ同じ大きさの楕円形であり、シェル２０内に収容されたばね６０の先端が係止される。
【００４１】
以下、図１を参照してこれらの部品を組立ててコネクタ１０を構成する手順について説明する。まず、シャッタ５０を、正面を第１開口２１０、背面を第２開口２２０側としてシェル２０の第２開口２２０側からシェル２０内に挿入する。シャッタ５０は、第１切り欠き部５３１が設けられた辺を、シェル２０の第１折り曲げ片２３１が設けられた上壁２０１に当接させ、第２切り欠き部５３２が設けられた片を第２折り曲げ片２３２が設けられた下壁２０２に当接させた状態で、第２開口２２０側から第１開口２１０側に移動させる。第１開口２１０側に移動されたシャッタ５０は、第１切り欠き部５３１がシェル２０の第１折り曲げ片２３１と係合し、第２切り欠き部５３２が第２折り曲げ片２３２と係合することにより、第１開口２１０を塞ぐ状態でシェル２０内に保持される。
【００４２】
次に、ばね６０と、溝３２１にコンタクト４０を保持した状態のハウジング３０と、をシェル２０の第２開口２２０側からシェル２０内に挿入する。ばね６０の先端は、シャッタ５０背面の環状溝５１１に係止され、基端は、ハウジング３０の基部３１０に形成された係止溝３１１に係止される。これにより、ばね６０は保持部３２０から離れた状態でシェル２０内に保持され、コンタクト４０とばね６０とが接触して短絡することが防止できる。
【００４３】
また、ハウジング３０の基部３１０の突起３１３は、シェル２０の上壁２０１に形成された差込孔２１１に嵌入され、一対の脚３１２はシェル２０の下壁２０２の差込溝２１２に嵌入される。これにより、ハウジング３０がシェル２０内に固定されて保持される。
【００４４】
このようにして組立てられたコネクタ１０において、ハウジング３０の略板状の基部３１０は、シェル２０の第２開口２２０を塞ぐ。また、ハウジング３０の保持部３２０に保持されたコンタクト４０は、接触部４１０の基端が基部３１０を貫通する溝３２１に沿ってハウジング３０の外側に延出する。ハウジング３０の外側に延出するコンタクト４０の接続部４２０は、基部３１０の壁面に略平行に延びて、基部３１０の端縁と略同一な平面で折り曲げられ、この接続部４２０から延びて接触部４１０と略平行な固定部４３０がハウジング３０外側に向かって延びる。
【００４５】
ハウジング３０の外側に延出するコンタクト４０の固定部４３０は、はんだ付け等によりプリント配線板のような基板に固定されることにより、コネクタ１０を基板に固定することができる。この場合において、シェル２０の脇壁２０３に設けられたタブ２４０を基板にはんだ等で固定することにより、基板とコネクタ１０との結合強度を高めることができる。
【００４６】
次に、本発明に係るコネクタ１０と相手方コネクタとの嵌合について説明する。コネクタ１０は、相手方コネクタが挿入されない状態では、図３（ａ）に示すようにシャッタ５０により第１開口２１０が閉じられている。相手方コネクタをこのコネクタ１０に挿入する場合、相手方コネクタを第１開口２１０からコネクタ１０に挿入し、第２開口２２０側へ向かって移動させる。
【００４７】
コネクタ１０のシャッタ５０は、相手方コネクタの先端と接して、相手方コネクタが第２開口２２０側に移動されるに伴って相手方コネクタに押され、シェル２０内のばねを縮めながら第２開口２２０側に後退する。これにより、第１開口２１０が開かれた状態となり、コンタクト４０が露出されて相手方コネクタのコンタクトと接触して、コネクタ１０と相手方コネクタとが電気的に接続される。
【００４８】
相手方コネクタをコネクタ１０から抜去する際には、相手方コネクタを第２開口２２０側から第１開口２１０側へ移動させてコネクタ１０から引き抜く。このようにして相手方コネクタを抜去する際には、コネクタ１０のシャッタ５０は、ばね６０の弾性により第２開口２２０側から第１開口２１０側へ押される。第１開口２１０側へ押し出されたシャッタ５０は、シェル２０の規制部２３０に接して進出が停止され、シェル２０内に保持された状態で第１開口２１０を閉じる。
【００４９】
このように、本発明によれば、構成が簡易で組立て易く、相手方コネクタが挿抜される際に自動的に開閉するシャッタ５０を備えるコネクタ１０を得ることができる。また、シェル２０には、上壁２０１側と下壁２０２側とで形状が異なる規制部２３０が設けられていることから、相手方コネクタが誤った向きでコネクタ１０に挿入されることを防止できる。さらに、シェル２０にはシェル２０外側に開く２組の案内部２４１、２４２が設けられていることから、相手方コネクタは、第１開口２１０側から第２開口２２０側へ向かって互いの間隔が次第に狭くなる案内部２４１、２４２の縁に案内されてコネクタ１０の第１開口２１０へ誘導され、挿入が容易となる。
【産業上の利用可能性】
【００５０】
本発明は、ビデオカメラ等の電子機器に設けられるコネクタに利用できる。
【図面の簡単な説明】
【００５１】
【図１】本発明の一実施形態に係るコネクタの分解斜視図である。
【図２】前記コネクタの斜視図である。
【図３】前記コネクタを示し、（ａ）は正面図、（ｂ）は左側面図、（ｃ）は右側面図、（ｄ）は平面図、（ｅ）は底面図、（ｆ）は背面図、（ｇ）はＸ−Ｘ線での断面図である。
【図４】前記コネクタのシェルを示し、（ａ）は斜視図、（ｂ）は正面図、（ｃ）は背面図である。
【図５】前記コネクタのハウジングを示し、（ａ）は斜視図、（ｂ）は正面図、（ｃ）は平面図、（ｄ）は底面図、（ｅ）はＡ−Ａ線での断面図、（ｆ）はＢ−Ｂ線での断面図である。
【図６】前記コネクタのシャッタを示し、（ａ）は斜視図、（ｂ）は正面図、（ｃ）は背面図、（ｄ）はＣ−Ｃ線での断面図である。
【符号の説明】
【００５２】
１０            コネクタ
２０            シェル
３０            ハウジング
４０            コンタクト
５０            シャッタ
６０            ばね（弾性部材）
２１０          第１開口
２２０          第２開口
２３０          規制部
２３１          第１折り曲げ片
２３２          第２折り曲げ片
２４１、２４２  案内部
３１０          基部
３１１          係止溝
３２０          保持部
【図１】
2006048948.tif 000003
【図２】
2006048948.tif 000004
【図３】
2006048948.tif 000005
【図４】
2006048948.tif 000006
【図５】
2006048948.tif 000007
【図６】
2006048948.tif 000008